(57)【特許請求の範囲】
【請求項１】
認識型の装置と非認識型の装置の間で互換性のあるように該取り外し可能な記憶媒体を構成するための方法であって、
前記取り外し可能な記憶媒体は、該取り外し可能な記憶媒体上のデジタル情報にアクセスするためのファイル・システム・インジケータを有しており、前記認識型の装置は、該取り外し可能な記憶媒体上の標準位置における前記ファイル・システム・インジケータだけでなく非標準位置における前記ファイル・システム・インジケータも検出することができる装置であり、前記非認識型の装置は、該取り外し可能な記憶媒体上の標準位置における前記ファイル・システム・インジケータを検出することはできるが非標準位置における前記ファイル・システム・インジケータを検出することはできない装置であり、
前記標準位置に前記ファイル・システム・インジケータが書き込まれた状態で前記認識型の装置用に前記取り外し可能な記憶媒体を構成するときには、前記取り外し可能な記憶媒体上のファイル・システム・インジケータの前記標準位置をマスクすると共に、該ファイル・システム・インジケータを非標準位置に書き込むことにより、前記認識型の装置はファイル・システム・インジケータを検出することができるが、前記非認識型の装置はファイル・システム・インジケータを検出することができないようにし、前記非標準位置に前記ファイル・システム・インジケータが書き込まれた状態で前記非認識型の装置用に前記取り外し可能な記憶媒体を構成するときには、前記非標準位置に書き込まれた前記ファイル・システム・インジケータを前記標準位置にコピーすることにより、前記非認識型の装置がファイル・システム・インジケータを検出することができるようにする、
方法。
【請求項２】
前記取り外し可能な記憶媒体を初期化することをさらに含み、該初期化することは、さらに、
前記取り外し可能な記憶媒体（５０）上の前記ファイル・システム・インジケータ（３５０）の前記標準位置（１５２）をマスクし、
前記取り外し可能な記憶媒体上の前記ファイル・システム・インジケータを前記非標準位置（１５５）に書き込む、
ことを含む、請求項１に記載の方法。
【請求項３】
前記取り外し可能な記憶媒体を初期化することは、さらに、
前記取り外し可能な記憶媒体上のいくつかの論理セクター（３２０）を、欠陥管理用に予約することを含む、
請求項２に記載の方法。
【請求項４】
前記取り外し可能な記憶媒体を初期化することは、さらに、
前記取り外し可能な記憶媒体上の少なくとも１つのセクター（３１０）を、前記ファイル・システム・インジケータ（３５０）の前記非標準位置（１５５）として予約することを含む、
請求項２に記載の方法。
【請求項５】
前記認識型の装置用に前記取り外し可能な記憶媒体を構成するときには、さらに、
前記取り外し可能な記憶媒体上のバックアップ・ファイル・システム・インジケータ（１５４）をマスクすることを含む、
請求項１に記載の方法。
【請求項６】
前記非認識型の装置用に前記取り外し可能な記憶媒体を構成するときには、さらに、
前記取り外し可能な記憶媒体上のバックアップ・ファイル・システム・インジケータ（３５５）を、他の標準位置（１５４）にコピーすることを含む、
請求項１に記載の方法。
【請求項７】
認識型の装置と非認識型の装置の間で互換性のあるように該取り外し可能な記憶媒体を構成するためのシステムであって、
前記取り外し可能な記憶媒体は、該取り外し可能な記憶媒体上のデータにアクセスするためのファイル・システム・インジケータを有しており、前記認識型の装置は、該取り外し可能な記憶媒体上の標準位置における前記ファイル・システム・インジケータだけでなく非標準位置における前記ファイル・システム・インジケータも検出することができる装置であり、前記非認識型の装置は、該取り外し可能な記憶媒体上の標準位置における前記ファイル・システム・インジケータを検出することはできるが非標準位置における前記ファイル・システム・インジケータを検出することはできない装置であり、
前記システムは、コンピュータ可読のプログラムコードを格納したコンピュータ可読記憶媒体を備えており、該コンピュータ可読のプログラムコードは、前記標準位置に前記ファイル・システム・インジケータが書き込まれた状態で前記認識型の装置用に前記取り外し可能な記憶媒体を構成するときには、前記取り外し可能な記憶媒体上のファイル・システム・インジケータの前記標準位置をマスクすると共に、該ファイル・システム・インジケータを非標準位置に書き込むことにより、前記認識型の装置はファイル・システム・インジケータを検出することができるが、前記非認識型の装置はファイル・システム・インジケータを検出することができないようにし、前記非標準位置に前記ファイル・システム・インジケータが書き込まれた状態で前記非認識型の装置用に前記取り外し可能な記憶媒体を構成するときには、前記非標準位置に書き込まれた前記ファイル・システム・インジケータを前記標準位置にコピーすることにより、前記非認識型の装置がファイル・システム・インジケータを検出することができるようにするプログラムコードを含む、
システム。
【請求項８】
さらに、前記コンピュータ可読のプログラムコードは、
前記認識型の装置（６０）で前記取り外し可能な記憶媒体（５０）を欠陥管理し、少なくとも１つの不良セクター（１５３）から少なくとも１つの代替セクター（１５６）にデジタル情報をコピーするプログラムコードと、
前記取り外し可能な記憶媒体が前記非認識型の装置（８０）からアクセスできるよう構成されている場合に、前記少なくとも１つの代替セクターから前記少なくとも１つの不良セクターに前記デジタル情報をコピーするプログラムコードと、
を含む、請求項７に記載のシステム。
【請求項９】
さらに、前記コンピュータ可読のプログラムコードは、
前記取り外し可能な記憶媒体（５０）が非認識型の装置（８０）用に構成されるときには、前記非標準位置（１５５）をマスクするプログラムコードを含む、
請求項７に記載のシステム。
【発明の詳細な説明】
【０００１】
【発明の属する技術分野】
本発明は、一般に取り外し可能な記憶媒体に関し、より具体的には、取り外し可能な記憶媒体を構成するためのシステムおよび方法に関する。
【０００２】
【従来の技術】
デジタル情報には、いくつかの例を挙げてみると、コンピュータ可読のプログラム・コード、テキスト、マルチメディア（たとえば、グラフィックス、オーディオ、ビデオ）などが含まれるが、このような情報は急激に増加し続けている。したがって、記憶媒体、および該記憶媒体の書き込みと読み出しを行う装置も継続的に開発されており、デジタル情報の格納およびアクセスについて強化されている。
【０００３】
デジタル情報は、通常は、取り外し可能な記憶媒体上にセクター形式で編成される。取り外し可能な記憶媒体はいくつかの物理セクターを備えており、少なくともその一部を、論理セクターとしてさらに表現することができる。デジタル情報は、ファイル・システム（例えば、国際標準化機構のＩＳＯ９６６０ファイル構造標準、ＵＤＦ（Ｕｎｉｖｅｒｓａｌ  Ｄｉｓｋ  Ｆｏｒｍａｔ）、およびそれらの変形形態など）に従い、取り外し可能な記憶媒体の論理セクター上に編成される。一般に、ファイル・システム・インジケータ（例えば、ＵＤＦファイル・システムのアンカーボリューム・ディスクリプタ・ポインタ（ＡＶＤＰ：ａｎｃｈｏｒ  ｖｏｌｕｍｅ  ｄｅｓｃｒｉｐｔｏｒ  ｐｏｉｎｔｅｒ）など）が取り外し可能な記憶媒体上の標準位置に書き込まれ、取り外し可能な記憶媒体について付加的なファイルシステム情報を示す。例として、取り外し可能な記憶媒体が装置にロードされ、この媒体に格納されたデジタル情報を読み出す場合に、該装置は、取り外し可能な記憶媒体上の標準位置（例えば、ＤＶＤの物理セクター番号（ＰＳＮ）”３０１００”、論理セクター番号（ＬＳＮ）”２５６”）にある、付加的なファイルシステム情報を示すファイル・システム・インジケータ（たとえば、ＵＤＦ  ＡＶＤＰ）を検出する。該装置は、その後、ソフトウェアおよび／またはファームウェアを使用して、ファイル・システムに従い該デジタル情報にアクセスすることができる。
【０００４】
ＤＶＤ−ＲＯＭ（ｒｅａｄ−ｏｎｌｙ−ｍｅｍｏｒｙ）ディスクなどの読み出し専用記憶媒体上の情報は、最初に、標準ファイル・システム（たとえば、ＵＤＦ）を使用して記録される。多くの機器（例えば、ＤＶＤプレーヤ）およびコンピュータ・ドライブ（例えば、ＤＶＤドライブ）は、標準ファイル・システムを容易に認識することができる。読み出し専用記憶媒体上のデジタル情報は変更することができない。従って、取り外し可能な読み出し専用記憶媒体の使用は、変更を必要としないデジタル情報に限られる。例えば、取り外し可能な読み出し専用記憶媒体は、例を挙げるとビデオ記録、ソフトウェア・アプリケーション、およびデータなどの配布のために使用されることができる。
【０００５】
一方、ＤＶＤ＋ＲＷ（ｒｅｗｒｉｔａｂｌｅ）ディスクなどの書き換え可能な記憶媒体は、該記憶媒体上のデジタル情報の読み出し、書き込みまたは記録、および変更（たとえば、書き換え、消去など）ができるようにフォーマットされている。書き換え可能な記憶媒体上のデジタル情報を、適切なソフトウェアおよび／またはファームウェアを使用して読み出し、記録し、変更することができる。ソフトウェアおよび／またはファームウェアによって、記憶媒体に、欠陥管理のための構成を持たせることもできる。すなわち、媒体のある領域が損傷したり、繰り返し使用によって摩耗したりした場合には、その領域についてのデジタル情報を、取り外し可能な記憶媒体の別の領域に代わりに書き込み、該媒体を「再マップ」することができる（たとえば、その論理セクターを別の物理セクターに割り当て直す）。これにより、連続した物理セクターに格納されるはずの一部のデジタル情報が、連続しないセクターに記録されることになる。しかし、この場合も、ファイル・システムから見た論理セクターは連続している。
【０００６】
【発明が解決しようとする課題】
ディスク構成を「認識しない」装置は、該ディスク構成を「認識する」装置によって再マップされた取り外し可能な記憶媒体を読み出すのが困難である。すなわち、データ・タイプの中には、記憶媒体（たとえば、ビデオ・データ）上で物理的にセクターが連続していることを必要とするものがある。しかし、取り外し可能な記憶媒体が欠陥管理（ディフェクト・マネジメント）のために再マップされている場合は、デジタル情報が、連続したセクターに格納されていないことがある。さらに、非認識型の装置は、一般に、再マップされた取り外し可能な記憶媒体を読み出すために、ソフトウェアやファームウェアを用いて容易にアップグレードされることができない。このように、取り外し可能な記憶媒体が前述のように構成されている場合、非認識型の装置は、該媒体に格納された正しいデジタル情報を読み出すことができず、もしくは読み間違える可能性がある。
【０００７】
【課題を解決するための手段】
認識型の装置用と非認識型の装置用の取り外し可能な記憶媒体を構成するシステムが提供される。該システムの一実施形態は、コンピュータ可読の記憶媒体に格納されたコンピュータ可読のプログラム・コードを含むことができる。コンピュータ可読のプログラム・コードは、取り外し可能な記憶媒体上のファイル・システム・インジケータのための少なくとも１つの標準位置をマスクして、認識型の装置からアクセスできるように取り外し可能な記憶媒体を構成するプログラム・コードを含むことができる。また、コンピュータ可読のプログラム・コードは、取り外し可能な記憶媒体上のファイル・システム・インジケータを、少なくとも１つの非標準位置から少なくとも１つの標準位置にコピーして、非認識型の装置からアクセスできるように取り外し可能な記憶媒体を構成するプログラム・コードを含むことができる。
【０００８】
また、取り外し可能な記憶媒体を構成する方法が開示される。該方法は、認識型の装置と非認識型の装置の両方について論理セクターが整合性あるよう識別される取り外し可能な記憶媒体の構成を選択することと、選択された構成が認識型の装置用ならば、取り外し可能な記憶媒体上のファイル・システム・インジケータの標準位置をマスクすることと、選択された構成が非認識型の装置用ならば、取り外し可能な記憶媒体上のファイル・システム・インジケータを非標準位置から標準位置にコピーすることと、を含む。
【０００９】
【発明の実施の形態】
取り外し可能な記憶媒体５０を、認識型の装置６０用と非認識型の装置８０用との間で交換可能なように（互換性あるように）構成するシステム１０について以下に示し、説明する。このシステムを使用して、ＤＶＤ＋ＲＷディスク（たとえば、取り外し可能な記憶媒体５０）上のデジタル情報にアクセスし、それを変更することができる。本発明の教示によると、取り外し可能な記憶媒体５０上に記録されたデジタル情報は、該媒体が欠陥（defect）について管理されているかどうかに関わらず、認識型の装置６０（たとえば、ＤＶＤ＋ＲＷコンピュータードライブ）、または非認識型の装置８０（たとえば、ＤＶＤビデオ・プレーヤ）を用いて、該取り外し可能な記憶媒体５０から読み出されることができる。
【００１０】
簡単に言えば、ＩＳＯ９６６０、ＵＤＦ、およびそれらの様々な変形形態などのファイル・システムに従って、取り外し可能な記憶媒体５０のユーザー・データ領域１２０（例えば、図２）内にデジタル情報を編成することができる。取り外し可能な記憶媒体５０（例えば、セクター１４０内）に格納されたファイル・システム・インジケータ３５０（図３）は、ユーザー・データ領域１２０内のデジタル情報を編成するのに使用される付加的なファイル・システム情報を示すことができる。認識型の装置６０または非認識型の装置８０が、取り外し可能な記憶媒体５０上のファイル・システム・インジケータ３５０を検出すると、ソフトウェアおよび／またはファームウェアを使用して、ファイル・システム・インジケータ３５０によって指し示される付加的なファイル・システム情報に従い、該媒体上に格納されたデジタル情報にアクセスする。
【００１１】
取り外し可能な記憶媒体５０上に記録されたデジタル情報には、ビデオおよび／または他のデータを含めてもよい。一般に、ビデオは、取り外し可能な記憶媒体５０の不良セクター（defective sector）に記録されることがあるが、これは、ビデオを再生しても気付かないことが多く、または「スキップ」や「グリッチ（glitch）」として表れることもある。しかし、不良セクターに記録されたデータは、アクセス不能である場合があり、そのためにファイル全体が壊れる場合がある。したがって、一般には、取り外し可能な記憶媒体５０の不良セクターへのデータ記録は許容されない。そのため、取り外し可能な記憶媒体５０は、欠陥について管理されることがある。
【００１２】
認識型の装置６０は、取り外し可能な記憶媒体５０上の不良セクターまたは損なわれたセクターに記録されたデジタル情報を、別のセクターに書き込み、それに応じて取り外し可能な記憶媒体５０を再マップすることにより、該取り外し可能な記憶媒体５０を欠陥管理することができる。しかし、非認識型の装置８０は、欠陥管理される取り外し可能な記憶媒体５０を認識できないことがある。すなわち、非認識型の装置８０は、取り外し可能な記憶媒体５０に格納されたデジタル情報を、読み出すことができなかったり、不正確に読み出したりすることがある。
【００１３】
認識型の装置６０および非認識型の装置８０は、いずれも今日の市場に広く出回っており、多くのユーザーが各タイプの装置を１台以上所有していることもある。したがって、取り外し可能な記憶媒体５０を、認識型の装置６０用と非認識型の装置８０用との間で交換可能なように構成することが、ユーザによって所望されうる。
【００１４】
本発明の教示によると、取り外し可能な記憶媒体５０を認識型の装置６０用と非認識型の装置８０用との間で交換可能なように構成するシステム１０の一実施形態は、コンピュータ可読の記憶媒体に格納されたコンピュータ可読のプログラム・コード（ソフトウェアおよび／またはファームウェアなど）を備えることができる。コンピュータ可読のプログラム・コードは、取り外し可能な記憶媒体５０上のファイル・システム・インジケータ３５０のための標準位置１５２をマスクするためのプログラム・コードを備えることができる。ファイル・システム・インジケータ３５０のための標準位置１５２がマスクされると（例えば、図３に示されるように）、取り外し可能な記憶媒体５０は、ファイル・システム・インジケータ３５０を非標準位置に書き込むことによって、認識型の装置６０がアクセスできるように構成される。ファイル・システム・インジケータ３５０が非標準位置に書き込まれても、認識型の装置６０はファイル・システム・インジケータ３５０を認識するので、好ましくは標準ファイル・システムに従って、取り外し可能な記憶媒体５０にアクセスすることができる。しかし、取り外し可能な記憶媒体５０が非認識型の装置８０に装填される場合、非認識型の装置８０は、標準位置１５２でファイル・システム・インジケータ３５０を検索するが、ファイル・システム・インジケータ３５０を検出することができない（標準位置１５２がマスクされているので）。そのため、非認識型の装置８０は、取り外し可能な記憶媒体５０を認識せず、よって、該媒体に記録されたデジタル情報を読み出そうとしない。これにより、該デジタル情報を不正確に読むというリスクが回避される。コンピュータ可読のプログラム・コードはまた、ファイル・システム・インジケータ３５０を、取り外し可能な記憶媒体５０上の標準位置１５２にコピーするためのプログラム・コードを含むことができる（例えば、図４に示されるように）。これによって、非認識型の装置８０は、標準位置１５２でファイル・システム・インジケータ３５０を検出することができ、こうして、取り外し可能な記憶媒体５０は、非認識型の装置８０がアクセスできるように構成される。
【００１５】
システム１０は以下のように動作して、取り外し可能な記憶媒体５０を、認識型の装置６０用と非認識型の装置８０用との間で交換可能なように構成する。取り外し可能な記憶媒体５０についての構成を選択することができ、該媒体において、論理セクター（例えば、図２の１５０、１５１など）は、認識型の装置６０と非認識型の装置８０の両方から、整合性あるように（一貫して）識別される。認識型の装置６０用の構成が選択されたならば、取り外し可能な記憶媒体５０上のファイル・システム・インジケータ３５０のための標準位置１５２をマスクすることができる（例えば、図３に示されるように）。非認識型の装置８０用の構成が選択されたならば、取り外し可能な記憶媒体５０上でファイル・システム・インジケータ３５０が非標準位置（例えば、１６１）から標準位置１５２にコピーされることができる（例えば、図４に示されるように）。
【００１６】
本発明の実施形態によると、認識型の装置６０と非認識型の装置８０のいずれからもアクセスできるように、１つのファイル・システムの基本構造に従って、取り外し可能な記憶媒体５０を編成することができる。すなわち、ファイル・システム記述子は有効なままであり、最初のポインタすなわちファイル・システム・インジケータ３５０（例えば、ＵＤＦファイル・システムではＡＶＤＰ）のみが変化する。こうして、取り外し可能な記憶媒体５０は、認識型の装置６０を使用して欠陥管理されることができ、欠陥管理されている取り外し可能な記憶媒体５０を読むために容易にアップグレードされることのできない非認識型の装置８０用に変換されることができる。さらに、非認識型の装置８０は、取り外し可能な記憶媒体５０が認識型の装置６０用に構成されたとき、該取り外し可能な記憶媒体５０を読むことができず、よってそこに格納されたデジタル情報を読み間違えることがない。さらに、取り外し可能な記憶媒体５０は、任意の情報タイプ（データ、オーディオ、ビデオなど）およびそれらの任意の組み合わせに対応するように構成されることのできるのが好ましい。例えば、取り外し可能な記憶媒体５０は、ビデオのみ、データのみ、またはビデオとデータの両方に対応するように構成されることができる。
【００１７】
取り外し可能な記憶媒体５０を認識型の装置６０用と非認識型の装置８０用の間で交換可能なように構成するためのシステム１０および方法について一般的に記述してきたが、本発明のシステムおよび方法の実施形態についてここでさらに詳しく記述する。
【００１８】
図１は、認識型の装置６０用と非認識型の装置８０用との間で交換可能なように構成されることのできる取り外し可能な記憶媒体５０を示す。一実施形態において、例えば、取り外し可能な記憶媒体５０は、デジタル情報（たとえば、デジタル写真、グラフィックス、テキスト・ファイル、ソフトウェア・アプリケーションなど）を格納するＤＶＤディスクでよい。ユーザーは、認識型の装置６０（例えば、コンピュータＤＶＤ＋ＲＷドライブ）を使用し、ＰＣ７０を介して、該記憶媒体上のデジタル情報を読み出し、書き込み、変更することができる。同様に、ユーザーは、非認識型の装置８０（例えば、ＤＶＤプレーヤ）を使用して、テレビ９０で、ＤＶＤディスク上のデジタル情報を読み出すことができる（例えば、ディスクに記録されたビデオを見ることができる）。
【００１９】
認識型の装置６０および非認識型の装置８０は、いずれも広く出回っている。実際に、多くのユーザーが、ＰＣ７０用のＤＶＤ＋ＲＷドライブ、およびテレビ９０用のＤＶＤプレーヤ８０などの各タイプの装置を、１台以上所有することがある。したがって、システム１０は、認識型の装置６０および非認識型の装置８０のいずれでも使用できるように、取り外し可能な記憶媒体５０を交換可能なように構成する。このことについて以下に詳述する。
【００２０】
説明を続ける前に、認識型の装置６０を参照するのに使用する「認識型（ａｗａｒｅ）」という用語には、取り外し可能な記憶媒体５０を、認識型の装置６０からアクセスできるよう構成する時（例えば、欠陥管理を行うように構成する時）、該記憶媒体上のデジタル情報にアクセスするための、該記憶媒体に操作上関連付けられたソフトウェアおよび／またはファームウェアを有する任意の（１台以上の）装置を包含するよう意図されていることを理解されたい。非認識型の装置８０を参照するのに使用する「非認識型（ｕｎａｗａｒｅ）」という用語は、取り外し可能な記憶媒体５０を、認識型の装置６０からアクセスできるように構成する時、該記憶媒体上のデジタル情報にアクセスするための、該記憶媒体に関連付けられたソフトウェアおよび／またはファームウェアを有していない任意の（１台以上の）装置を包含するよう意図されていることを理解されたい。例えば、認識型の装置は、必要なソフトウェアおよび／またはファームウェアが操作上記憶媒体に関連付けられている限りにおいて、ＤＶＤ＋ＲＷドライブでもよいし、ＤＶＤ−ＲＯＭドライブでもよいし、他のドライブでもよい。また、例えば非認識型の装置８０は、必要なソフトウェアおよび／またはファームウェアが記憶媒体に操作上関連付けられていない場合において、ＤＶＤ＋ＲＷドライブでもありうるし、ＤＶＤ−ＲＯＭドライブでもありうるし、他のドライブでもありうる。
【００２１】
ここでは、本発明は、ＤＶＤディスクを使用して実現されるように記述されているが、本発明の範囲はこれに限定されず、さらに本発明の教示に従って、任意の適切な取り外し可能記憶媒体５０（現在知られているもの、および将来開発されるもの）を使用することができることを理解されたい。例えば、取り外し可能な記憶媒体５０は、光記憶媒体、取り外し可能なハード・ディスク・ドライブ、他の取り外し可能な磁気媒体などを含むことができる。ここでは、本発明は、ＵＤＦファイル・システムおよびＡＶＤＰファイル・システム・インジケータを使用して実現されるように記述されているが、本発明の教示に従って、任意の適切なファイル・システム、および該ファイル・システムのためのインジケータ３５０を使用することができることは理解されたい。さらに、ＰＣ７０およびテレビ９０は、認識型の装置６０および非認識型の装置８０と共に用いるための装置の一例として単に示されており、他の装置（図示せず）を使用することができることも理解されたい。
【００２２】
図２は、取り外し可能な記憶媒体５０の一実施形態のレイアウト１００を示す。一般に、取り外し可能な記憶媒体５０は、いくつかの（１つまたは複数の）物理セクター（例えば１４０、１５０、１６０など）が含まれる。物理セクター１４０、１５０、１６０は、導入領域１１０、ユーザー・データ領域１２０、導出領域１３０に編成されることができる。導入領域１１０は、いくつかの物理セクター１４０、１４１を含むことができる。導入領域１１０の物理セクター１４０、１４１は、一般に、認識型の装置６０からアクセスすることができるが、非認識型の装置８０からはアクセスすることができない。同様に、導出領域１３０はいくつかの物理セクター１６０、１６１を含むことができる。導出領域１３０の物理セクター１６０、１６１も、一般に、認識型の装置６０からはアクセスすることができるが、非認識型の装置８０からはアクセスすることができない。また、ユーザー・データ領域１２０は、いくつかの物理セクター１５０〜１５６を含むことができる。ユーザー・データ領域１２０は、一般に、認識型の装置６０および非認識型の装置８０の両方からアクセスすることができ、そこにあるデジタル情報を記録し、変更し、読み出すことができる。ユーザー・データ領域１２０の物理セクター１５０〜１５６は、論理セクターとして編成されるのが好ましい。
【００２３】
使用する上では、標準ファイル・システム（ＩＳＯ９６６０、ＵＤＦなど）に従い、取り外し可能な記憶媒体５０の論理セクター上にデジタル情報を編成するのが好ましい。ファイル・システム・インジケータ３５０（図３）は、論理セクター上にデジタル情報を編成するのに使用される付加的なファイル・システム情報を示すのが好ましい。認識型の装置６０または非認識型の装置８０が、取り外し可能な記憶媒体５０上の標準セクターすなわち標準位置１５２（例えば、ＵＤＦファイル・システムではＰＳＮ“３０１００”、ＬＳＮ“２５６”）においてファイル・システムインジケータ３５０を検出すると、ソフトウェアおよび／またはファームウェアを使用して、ファイル・システム・インジケータ３５０によって指し示される付加的なファイル・システム情報に従い、該媒体上に格納されたデジタル情報にアクセスすることができる。
【００２４】
取り外し可能な記憶媒体５０を、任意の適切なフォーマットで編成することができること、さらに図２に関連して示され記述されたレイアウトが、ＤＶＤディスクのような取り外し可能な記憶媒体５０のレイアウトの例示にすぎないことを理解されたい。さらに、導入領域１１０、ユーザー・データ領域１２０、導出領域１３０は、任意の数の物理セクターを含むことができるということを理解されたい。同様に、ユーザー・データ領域１２０は、任意の数の論理セクターを含むことができる。しかしながら、本発明の好ましい実施形態によると、記憶媒体５０が、認識型の装置６０用に構成されるか非認識型の装置８０用に構成されるかに関わらず、論理セクターは整合性あるように（一貫して）識別される。例えば、ユーザー・データ領域１２０の第１の物理セクター１５０（ＰＳＮ“３００００”）はＬＳＮ“０”として識別され、ユーザー・データ領域１２０の第２の物理セクター１５１（ＰＳＮ“３０００１”）はＬＳＮ“１”として識別される（以下同様）。記憶媒体５０が認識型の装置６０用に構成される場合も、非認識型の装置８０用に構成される場合も、論理セクターの識別の整合性は維持される。こうして非認識型の装置８０は、標準ファイル・システムに従い、ユーザー・データ領域１２０に記録されたデジタル情報を認識し、取り外し可能な記憶媒体５０を交換可能なように構成するのに該媒体上のデジタル情報を記録し直す必要はない。
【００２５】
取り外し可能な記憶媒体５０は、図３に関連して示すように、認識型の装置６０用に初期化されているのが好ましい。取り外し可能な記憶媒体５０のレイアウト３００は、図２に示すものと同様であるが、認識型の装置６０用に初期化されている。図３の斜線によって示されるように、初期化中に、ファイル・システム・インジケータ３５０の標準位置（例えば、セクター１５２）がマスクされる。例えばセクター１５２にゼロが書き込まれる。同様に、ファイル・システム・インジケータ（例えば、ＵＤＦファイル・システムではＡＶＤＰ）のコピー３５５が存在する場合は、これらのバックアップ・ファイル・システム・インジケータ３５５の標準位置（セクター１５４、１５６など）もマスクされ、これも図３に斜線で示されている。また、初期化中、図３の黒色で示されるように、ファイル・システム・インジケータ３５０は、代わりに非標準位置（例えば、セクター１４０）に書き込まれる。バックアップファイル・システム・インジケータのコピー（１つまたは複数ありうる）３５５があれば、同様に他の非標準位置（例えば、セクター１５５と１６１）に書き込まれる。
【００２６】
こうして、取り外し可能な記憶媒体５０が認識型の装置６０に装填された場合、認識型の装置６０は、ファイル・システム・インジケータ３５０を非標準位置１４０で検出し、このインジケータは、ユーザー・データ領域１２０に格納されたデジタル情報にアクセスするための付加的なファイル・システム情報を示す。しかし、取り外し可能な記憶媒体５０が非認識型の装置８０に装填された場合、非認識型の装置８０は、ファイル・システム・インジケータ３５０の標準位置１５２と、バックアップ・ファイル・システム・インジケータ３５５があれば該インジケータのための標準位置（１つまたは複数ありうる）１５４、１５６を検索する。標準位置１５２、１５４、１５６はマスクされているので、非認識型の装置８０は、ファイル・システム・インジケータ３５０を検出することができない。こうして、非認識型の装置８０は、取り外し可能な記憶媒体５０に記録されたデジタル情報を読み出すことができないので、たとえば取り外し可能な記憶媒体５０が欠陥管理されていても、デジタル情報を不正確に読むことが回避される。
【００２７】
ファイル・システム・インジケータ３５０の標準位置１５２と、バックアップ・ファイル・システム・インジケータ３５５がある場合はその標準位置１５４、１５６は、取り外し可能な記憶媒体５０のユーザー・データ領域１２０内の任意の適切なセクターでよい、ということを理解されたい。標準位置１５２、１５４、１５６は、ファイル・システムの仕様によって定義されるのが好ましい。例えば、ＵＤＦファイル・システムでは、ファイル・システム・インジケータ３５０の標準位置１５２はＰＳＮ“３０１００”、ＬＳＮ“２５６”である。
【００２８】
また、ファイル・システム・インジケータ３５０の非標準位置１４０と、バックアップ・ファイル・システム・インジケータ３５５がある場合はその非標準位置（１つまたは複数ありうる）１５５、１６１は、ファイル・システム・インジケータ３５０、３５５を検出するために取り外し可能な記憶媒体５０上で慣例的にアクセスされる標準位置１５２、１５４、１５６以外の適切なセクターであることができる、ということを理解されたい。例えば、非標準位置１４０、１５５、１６１は、ユーザー・データ領域内のセクター１５０〜１５６であってもよい。非標準位置１４０、１５５、１６１が、ユーザー・データ領域１２０内のセクターである場合、非標準位置１４０、１５５、１６１は、予約済みセクター（１つまたは複数ありうる）３１０であるのが好ましい。また、導入領域１１０の物理セクター１４０、１４１および導出領域１３０の物理セクター１６０、１６１は、一般に、認識型の装置６０によってアクセスすることができるので、非標準位置１４０、１５５、１６１は、導入領域１１０内のセクターおよび／または導出領域１３０内のセクターであってもよい。
【００２９】
使用する上で、デジタル情報は、標準ファイル・システム（ＩＳＯ９６６０、ＵＤＦなど）の構造に従い、ユーザー・データ領域１２０の論理セクター上に編成される。こうして、取り外し可能な記憶媒体５０の初期化は、ユーザー・データ領域１２０を、連続的に識別される論理セクターで構成することを含むのが好ましい。例えば、ユーザー・データ領域１２０の第１の物理セクター１５０（ＰＳＮ“３００００”）はＬＳＮ“０”として識別され、ユーザー・データ領域１２０の第２の物理セクター１５１（ＰＳＮ“３０００１”）はＬＳＮ“１”として識別される（以下同様）。このような編成によって、取り外し可能な記憶媒体５０を非認識型の装置用に再構成する時に、記録し直す必要が無くなり、標準ファイル・システム（ＵＤＦなど）に従って非認識型の装置８０によりデジタル情報を認識することが可能となる。
【００３０】
また、取り外し可能な記憶媒体５０の初期化は、ユーザー・データ領域１２０のセクター（例えば、予約済み領域３１０）を予約することを含むのが好ましい。予約済みセクター３１０は、ユーザーが記録可能なセクターとしてはアクセスすることができない。また、非認識型の装置８０によって読み出すこともできない。しかし、予約済みセクター３１０を、認識型の装置６０用のソフトウェアおよび／またはファームウェアによって使用することができる。例えば、１つまたは複数の予約済みセクター３１０を、ファイル・システム・インジケータ３５０またはバックアップ・ファイル・システム・インジケータ３５５の非標準位置（例えば、図３のセクター１５５）として使用することができる。また、例えばいくつかの予約済みセクター３１０を、欠陥管理領域（ＤＭＡ；defect management area）３２０として予約することもできる。すなわち、ＤＭＡ３２０を、不良セクターのための代替セクターとして使用することができる。ＤＭＡ３２０が、導入領域１１０および／または導出領域１３０におけるセクターを含むことができるということを理解されたい。
【００３１】
一旦初期化されると、認識型の装置６０を使用して、取り外し可能な記憶媒体５０に対してデジタル情報を記録し、変更し、読み出すことができる。さらに、認識型の装置６０は、欠陥について取り外し可能な記憶媒体５０を管理することができる。すなわち、ユーザー・データ領域１２０のセクターが不良の場合（すなわち、そのセクターから読み出されるデジタル情報がもはや信頼できない場合）、このデジタル情報は、ユーザー・データ領域１２０の好ましくはＤＭＡ３２０内にある別のセクターに書き込まれる。不良セクターを代替セクター３２０に再マップするための欠陥管理テーブル（図示せず）が、１つのセクター（例えば、１４１）に書き込まれるのが好ましい。例として、セクター１５１が不良と判断された場合、セクター１５１のデジタル情報が予約済みセクター１５６に書き込まれる。こうして、初めにセクター１５１に書き込まれていたデジタル情報に（例えば、ＰＣ７０のユーザーが）アクセスする場合、認識型の装置６０は、欠陥管理テーブルに従い、代わりに予約済みセクター１５６のデジタル情報にアクセスする。
【００３２】
デジタル情報は、標準ファイル・システム（例えば、ＵＤＦ）の基本構造に従い、認識型の装置６０によって取り外し可能な記憶媒体５０上に編成されるのが好ましい。そのようにすることで、取り外し可能な記憶媒体５０が非認識型の装置８０用に変換される場合、ファイル・システム記述子は有効なままであり、最初のポインタすなわちファイル・システム・インジケータ３５０（例えば、ＵＤＦファイル・システムではＡＶＤＰ）のみが変化する。すなわち、ファイル・システム・インジケータ３５０を取り外し可能な記憶媒体５０上の標準位置１５２にコピーすることによって、取り外し可能な記憶媒体５０を非認識型の装置８０用に変換することができる。このことについては、図４に関連して以下に詳述する。
【００３３】
図４は、図２および図３に示される取り外し可能な記憶媒体５０の一実施形態のレイアウト４００を、非認識型の装置８０用に構成したものを示す。すなわち、ファイル・システム・インジケータ３５０と、バックアップ・ファイル・システム・インジケータがある場合は該インジケータ（１つまたは複数ありうる）３５５が、その非標準位置（１つまたは複数ありうる）１４０、１５５、１６１から標準位置（１つまたは複数ありうる）１５２、１５４、１５６にコピーされ、標準位置１５２、１５４、１５６はもはやマスクされない。このことが、図４において黒色で示されている。ユーザー・データ領域１２０は、連続的に識別される論理セクターで構成されており、デジタル情報は、標準ファイル・システムの基本構造に従ってユーザー・データ領域１２０の連続的に識別される論理セクター上に編成されているので、非認識型の装置８０は、そのユーザー・データ領域１２０に格納されたデジタル情報にアクセスすることができる。
【００３４】
非認識型の装置８０は、欠陥管理のために再マップされたデジタル情報にアクセスすることができないので、再マップされたデジタル情報は、（例えばＤＭＡ３２０から）ファイル・システムで指定されたユーザー・データ領域１２０内の元のセクター（１つまたは複数）にコピーされるのが好ましい。不良セクター上で書き換えられたデジタル情報には、非認識型の装置８０ではアクセスできず、アクセスしても信頼性はない。しかしながら、例として、取り外し可能な記憶媒体５０にビデオが含まれており、非認識型の装置８０がＤＶＤプレーヤの場合は、不良セクターによってビデオの「スキップ」または「グリッチ」が発生するが、これらは、通常は許容可能である。不良セクターがデータを含む場合、該データがＤＭＡ３２０からコピーされ、そこから移動されないのが好ましい。こうして、取り外し可能な記憶媒体５０は、認識型の装置６０からアクセスできるように再び変換されることができ、欠陥管理用のソフトウェアおよび／またはファームウェアを使用して、ＤＭＡ３２０から該データを再びアクセスすることができる。
【００３５】
また、非認識型の装置８０用（図４に示す）に構成された取り外し可能な記憶媒体５０を、認識型の装置６０用（図３に示す）に変換して、これにより、非認識型の装置８０が該媒体を認識しないようにすることができる。取り外し可能な記憶媒体５０が認識型の装置６０用に戻されたとき、非認識型の装置８０用に構成されていることをソフトウェアおよび／またはファームウェアが自動的に認識し、該媒体を認識型の装置６０用に構成するのが好ましい。例えば、ソフトウェアおよび／またはファームウェアは、標準位置１５２においてファイル・システム・インジケータ３５０を検出することができる。そのため、ソフトウェアおよび／またはファームウェアは、ファイル・システム・インジケータ３５０と、（存在するならば）バックアップ・ファイル・システム・インジケータ３５５とのための標準位置（１つまたは複数）１５２、１５４、１５６をマスクして、取り外し可能な記憶媒体５０が、非認識型の装置８０からアクセスすることができないようにする。こうすることで、取り外し可能な記憶媒体５０に格納されたデジタル情報を読み出すのに非認識型の装置８０を使用することはできず、読めても読み間違える可能性がある（例えば、欠陥について該媒体が管理されている場合）。
【００３６】
取り外し可能な記憶媒体５０が、認識型の装置６０と非認識型の装置８０との間で交換可能なように構成されることができるということを理解されたい。オプションとして、取り外し可能な記憶媒体５０が認識型の装置６０用に構成されているとき、ファイル・システム・インジケータ３５０と、（存在するならば）バックアップ・ファイル・システム・インジケータ３５５とを、標準位置１５２、１５４、１５６から非標準位置１４０、１５５、１６１にコピーすることができる。また、オプションとして、取り外し可能な記憶媒体５０が認識型の装置６０用に構成されているとき、非標準位置１４０、１５５、１６１をマスクしてもよい。非認識型の装置８０は取り外し可能な記憶媒体５０上のデジタル情報を変更することができないけれども、および／または、非認識型の装置８０は導入領域１１０、導出領域１３０、および予約済み領域３１０を読み出すことができないけれども、これらのステップを予防策として使用することができる。例えば、ファイル・システムを変更することができる場合、またはファイル・システム・インジケータ３５０が別の装置によって１つまたは複数の非標準位置で認識することができる場合は、これらのステップのうちの１つまたは複数を実行することができる。
【００３７】
図５は、取り外し可能な記憶媒体５０を、認識型の装置６０用と非認識型の装置８０用との間で交換可能なように構成するための典型的なクロスリファレンス・テーブル５００を示す。クロスリファレンス・テーブル５００は、取り外し可能な記憶媒体５０を初期化している最中に生成され、取り外し可能な記憶媒体５０の物理セクター（例えば、導入領域１１０のセクター１４１）に書き込まれるのが好ましい。クロスリファレンス・テーブル５００は、ファイル・システム・インジケータ３５０の標準位置１５２のフィールド５１０と、関連する非標準位置１４０のフィールド５２０のような、いくつかのフィールドを含むことができる。こうして、認識型の装置６０用のファームウェアおよび／またはソフトウェアは、取り外し可能な記憶媒体５０上のファイル・システム・インジケータ３５０のための標準位置１５２と非標準位置１４０との間の関係を容易に求めることができる。好ましい実施形態では、クロスリファレンス・テーブル５００はまた、取り外し可能な記憶媒体５０の構成を示すフィールド５３０を含む。取り外し可能な記憶媒体５０が初期化される時、および該媒体が交換可能なように構成される度に、フィールド５３０は更新される。
【００３８】
表１および表２は、クロスリファレンス・テーブル５００のフィールド５１０、５２０、５３０のそれぞれに格納されうる典型的な値を示す。
【００３９】
【表１】
0004226876.tif 000002
【００４０】
表１において、ファイル・システム・インジケータ３５０およびバックアップ・ファイル・システム・インジケータ３５５の標準位置１５２、１５４、１５６が、その非標準位置１４０、１５５、１６１に対応して示されている。さらに、フラグの値が「ゼロ」に設定されており、これは、取り外し可能な記憶媒体５０が認識型の装置６０用に（例えば、図３に示されるように）構成されていることを示す。すなわち、ファイル・システム・インジケータ３５０、３５５は、非標準位置１４０、１５５、１６１にそれぞれ書き込まれる。
【００４１】
【表２】
0004226876.tif 000003
【００４２】
表２において、ファイル・システム・インジケータ３５０およびバックアップ・ファイル・システム・インジケータ３５５の標準位置１５２、１５４、１５６は、その非標準位置１４０、１５５、１６１に対応して示されている。しかしながら、フラグの値は「１」に設定されており、これは、取り外し可能な記憶媒体５０が非認識型の装置８０用に（例えば、図４に示されるように）構成されていることを示す。すなわち、ファイル・システム・インジケータ３５０、３５５は、標準位置１５２、１５４、１５６にそれぞれ書き込まれる。
【００４３】
図５に関連して示され説明されたクロスリファレンス・テーブル５００は、一実施形態に従って使用することのできる典型的なクロスリファレンス・テーブルの例示にすぎない、ということを理解されたい。他の実施形態を、本発明の範囲内にあるものとして検討することができる。
【００４４】
図６は、非認識型の装置８０用と認識型の装置６０用の間で交換可能なように構成される取り外し可能な記憶媒体５０を初期化する一実施形態を示すフローチャートである。ステップ６００において、図５に関連して上述した典型的なクロスリファレンス・テーブル５００のように、取り外し可能な記憶媒体５０のクロスリファレンス・テーブル５００が生成される。ステップ６１０において、取り外し可能な記憶媒体５０上のファイル・システム・インジケータ３５０の標準位置１５２がマスクされる。例えば、セクター１５２にゼロが書き込まれる。ステップ６２０において、好ましくはステップ６００で生成されたクロスリファレンス・テーブル５００に従い、取り外し可能な記憶媒体５０上の非標準位置１４０に、ファイル・システム・インジケータ３５０が書き込まれる。一旦初期化されると、取り外し可能な記憶媒体５０は、認識型の装置６０および非認識型の装置８０の間で交換可能なように構成されることができる。
【００４５】
取り外し可能な記憶媒体５００を初期化する一例として、クロスリファレンス・テーブル５００を、ユーザー・データ領域１２０および非ユーザー領域（例えば、導入領域１１０）の間の物理的リンクで生成することができる。例えば、ＵＤＦファイル・システムでは、クロスリファレンス・テーブル５００がセクター“２Ｆ０００ｈ”に書き込まれ、表３に示される値をとることができる。
【００４６】
【表３】
0004226876.tif 000004
【００４７】
ここで、“３００００ｈ”は、ユーザー・データ領域１２０の開始（すなわち最初の物理セクター）であり、“１６０５３Ｆｈ”は、ユーザー・データ領域１２０の終了（すなわち、最後の物理セクター）である。さらに、フラグ値０１は、標準位置においてファイル・システム・インジケータ３５０がマスクされていること、または標準位置においてファイル・システム・インジケータ３５０が不明瞭であることを示す。
【００４８】
こうして、ファイル・システムが、認識型の装置６０に対して標準位置１５２（ＰＳＮ“３０１００”）にファイル・システム・インジケータ３５０（例えば、ＡＶＤＰ）を書き込むように要求すると、認識型の装置６０は、代わりに、非標準位置１４０（ＰＳＮ“２Ｆ００１ｈ”）にファイル・システム・インジケータ３５０を書き込み、ＰＳＮ“３０１００ｈ”に“００”を書き込むことで標準位置をマスクする。同様に、ファイル・システムが認識型の装置６０に対して別の標準位置１５４（ＰＳＮ“１６０５３Ｆｈ”）にバックアップ・ファイル・システム・インジケータ３５５（例えば、ＡＶＤＰの実質的なコピー）を書き込むように要求すると、認識型の装置６０は、代わりに、別の非標準位置１５５（ＰＳＮ“１６０６００ｈ”）にバックアップ・ファイル・システム・インジケータ３５５を書き込み、ＰＳＮ“１６０５３Ｆｈ”に“００”を書き込むことで該別の標準位置をマスクする。この時点で、書き換え可能なドライブ６０は、標準ファイル・システムに従い、通常通りに取り外し可能な記憶媒体５０に対してデジタル情報の読み出しと書き込みを実行することができる。
【００４９】
図６に関連して上述したステップが、認識型の装置６０用と非認識型の装置８０用との間で交換可能なように構成するために、取り外し可能な記憶媒体５０を初期化する方法の一実施形態の例示にすぎないことを理解されたい。本発明の範囲内にあるものとして、他の実施形態を検討することもできる。これらの実施態様は、複数のステップを同時に実行してもよい。または、図６と異なる順序でこれらのステップを実行してもよい。例えば、標準ファイル・システム・インジケータの位置をマスクするステップ（ステップ６１０）と、ファイル・システム・インジケータを非標準位置に書き込むステップ（ステップ６２０）の順序を入れ替えてもよい。他の実施形態では、図６に示すステップに対して変更を加えてもよい。例えば、クロスリファレンス・テーブルを生成するステップ（ステップ６００）に、該クロスリファレンス・テーブル５００を記憶媒体に書き込むステップをさらに含めてもよい。別の実施形態では、例えば、取り外し可能な記憶媒体５０の初期化中に、クロスリファレンス・テーブル５００を、該記憶媒体の構成を表すように更新してもよい。さらに別の実施態様では、取り外し可能な記憶媒体５０の初期化は、ファイル・システム・インジケータ３５０を書き込むため（例えば、予約済み領域３１０）のセクター、および／または欠陥管理のため（例えば、欠陥管理領域３２０）のセクターを予約すること（例えば１５５〜１５６のセクターを予約すること）を含むことができる。
【００５０】
図７は、取り外し可能な記憶媒体５０を、認識型の装置６０用および非認識型の装置８０用の間で交換可能なように構成する一実施形態を表すフローチャートである。取り外し可能な記憶媒体５０は、連続的に識別される論理セクターに非認識型の装置８０がアクセスすることができるように、変換されることができる（ステップ７５０）。この変換ステップ７５０は、取り外し可能な記憶媒体５０上のファイル・システム・インジケータ３５０を標準位置１５２にコピーすることを含むことができる（ステップ７００）。同様に、取り外し可能な記憶媒体５０を、連続的に識別される論理セクターに認識型の装置６０からアクセスできるように変換することができる（ステップ７７５）。この変換ステップ７７５は、取り外し可能な記憶媒体５０上のファイル・システム・インジケータ３５０の標準位置１５２をマスクすることを含むことができる（ステップ７１０）。
【００５１】
好ましい実施形態では、取り外し可能な記憶媒体５０を非認識型の装置８０用に変換するステップ７５０は、さらにクロスリファレンス・テーブル５００を更新し、これによって取り外し可能な記憶媒体５０の状態（すなわち、非認識型の装置８０用に構成されていること）を表すステップ７０５を含むことができる。同様に、好ましい実施形態では、取り外し可能な記憶媒体５０を認識型の装置６０用に変換するステップ７７５は、さらにクロスリファレンス・テーブル５００を更新し、これによって取り外し可能な記憶媒体５０の状態（すなわち、認識型の装置６０用に構成されていること）を表すステップ７１５を含むことができる。
【００５２】
一例として、上記の取り外し可能な記憶媒体５０を初期化する例に続いて、取り外し可能な記憶媒体５０を、以下のようにして非認識型の装置８０用に変換することができる。ＰＳＮ“２Ｆ００ｌｈ”およびＰＳＮ“１６０６００ｈ”の内容が、ＰＳＮ“３０１００ｈ”および“１６０５３Ｆｈ”にそれぞれコピーされる。ＰＳＮ“２Ｆ０００ｈ”に格納されたクロスリファレンス・テーブル５００が、取り外し可能な記憶媒体５０の状態を示すように更新されるのが好ましい。例えば、フラグ値が“００”に設定され、ファイル・システム・インジケータ３５０、３５５がその標準位置（この例では、ＰＳＮ“３０１００ｈ”およびＰＳＮ“１６０５３Ｆｈ”）に書き込まれることを示す。この時点で、取り外し可能な記憶媒体５０は、非認識型の装置８０によって読み出し可能である。
【００５３】
別の例として、上記に示す取り外し可能な記憶媒体５０を初期化して、それを非認識型の装置８０用に変換する例に続いて、取り外し可能な記憶媒体５０を、以下のようにして認識型の装置６０用に変換することができる。ファイル・システム・インジケータ３５０、３５５の標準位置ＰＳＮ“３０１００ｈ”およびＰＳＮ“１６０５３Ｆｈ”がマスクされる（例えば、“００”が書き込まれる）。さらに、ＰＳＮ“２Ｆ０００ｈ”に格納されたクロスリファレンス・テーブル５００のフラグ値が、取り外し可能な記憶媒体５０の状態を示すように更新されるのが好ましい。例えば、フラグ値が“０１”に設定され、ファイル・システム・インジケータ３５０、３５５が、その非標準位置に書き込まれること、および標準位置がマスクされることを示す。
【００５４】
図７に関連して上述したステップは、取り外し可能な記憶媒体５０について認識型の装置６０用と非認識型の装置８０用の間で交換可能なように構成する方法の一実施形態の例示にすぎないことを理解されたい。本発明の範囲内にあるものとして、他の実施形態を検討することもできる。例えば別の実施形態では、取り外し可能な記憶媒体５０が、非認識型の装置８０用に構成されている場合、ファイル・システム・インジケータ３５０、３５５の非標準位置（１つまたは複数）１４０、１５５、１６１をマスクしてもよい。さらに別の実施形態では、例えば、取り外し可能な記憶媒体５０の欠陥管理に従って代替セクターに書き込まれたデジタル情報を、元の「不良」セクターにコピーしてもよい。
【００５５】
本発明の教示が、広範囲の取り外し可能な記憶媒体、ファイル・システム、取り外し可能記憶媒体上のデジタル情報の読み出しおよび／または書き込みを行う装置（現在当分野で知られているもの、および将来開発されるもの）に適用されることができることを理解されたい。また、本発明の実施形態は、ここでは、従来のＤＶＤコンピュータ・ドライブおよび従来のＤＶＤビデオ・プレーヤで、ＵＤＦファイル・システムを用いるＤＶＤディスクについて使用されることができるように記述しているが、取り外し可能な記憶媒体５０、それに格納するデジタル情報を編成するファイル・システム、認識型の装置６０、および非認識型の装置８０は、その特定のタイプやスタイルに限定されないことも明らかである。従って、本発明は、ここに示し記述したＤＶＤディスク、ＵＤＦファイル・システム、ＤＶＤコンピュータ・ドライブ、およびＤＶＤビデオ・プレーヤに限定されるべきではない。
【００５６】
本発明は、以下の実施態様を含む。
（１）認識型の装置（６０）および非認識型の装置（８０）の両方から論理セクターが整合性あるように識別される取り外し可能な記憶媒体（５０）の構成を選択し、
前記選択された構成が前記認識型の装置用ならば、前記取り外し可能な記憶媒体上のファイル・システム・インジケータ（３５０）の標準位置（１５２）をマスクし、
前記選択された構成が前記非認識型の装置用ならば、前記取り外し可能な記憶媒体上の前記ファイル・システム・インジケータを非標準位置（１５５）から前記標準位置にコピーする、取り外し可能な記憶媒体を構成する方法。
【００５７】
（２）前記取り外し可能な記憶媒体（５０）を初期化することをさらに含み、該初期化は、
前記取り外し可能な記憶媒体（５０）上の前記ファイル・システム・インジケータ（３５０）の前記標準位置（１５２）をマスクし、
前記取り外し可能な記憶媒体上の前記ファイル・システム・インジケータを前記非標準位置（１５５）に書き込むことを含む、上記（１）に記載の方法。
（３）前記取り外し可能な記憶媒体（５０）を初期化することは、さらに、前記取り外し可能な記憶媒体上のいくつかの論理セクター（３２０）を欠陥管理用に予約することを含む、上記（２）に記載の方法。
（４）前記取り外し可能な記憶媒体（５０）を初期化することは、さらに、前記取り外し可能な記憶媒体上の少なくとも１つのセクター（３１０）を、前記ファイル・システム・インジケータ（３５０）の前記非標準位置（１５５）として予約することを含む、上記（２）に記載の方法。
【００５８】
（５）前記取り外し可能な記憶媒体（５０）を前記認識型の装置（６０）用に構成することは、さらに、前記取り外し可能な記憶媒体上のバックアップ・ファイル・システム・インジケータ（１５４）をマスクすることを含む、上記（１）に記載の方法。
（６）前記取り外し可能な記憶媒体（５０）を前記非認識型の装置（８０）用に構成することは、さらに、前記取り外し可能な記憶媒体上のバックアップ・ファイル・システム・インジケータ（３５５）を他の標準位置（１５４）にコピーすることを含む、上記（１）に記載の方法。
【００５９】
（７）コンピュータ可読の記憶媒体と、前記コンピュータ可読の記憶媒体上に格納されたコンピュータ可読のプログラムコードとを備え、整合性あるように識別される論理セクターを備えた取り外し可能な記憶媒体（５０）を構成するシステム（１０）であって、
前記コンピュータ可読のプログラムコードは、さらに、
前記取り外し可能な記憶媒体上のファイル・システム・インジケータ（３５０）のための少なくとも１つの標準位置（１５２）をマスクして、該取り外し可能な記憶媒体（５０）が認識型の装置（６０）からアクセスできるように構成されるようにするプログラムコードと、
前記取り外し可能な記憶媒体上の少なくとも１つの非標準位置（１５５）から前記少なくとも１つの標準位置（１５２）に、前記ファイル・システム・インジケータをコピーし、該取り外し可能な記憶媒体が非認識型の装置（８０）からアクセスできるように構成されるようにするプログラムコードと、を含むシステム。
【００６０】
（８）前記認識型の装置（６０）で前記取り外し可能な記憶媒体（５０）を欠陥管理し、少なくとも１つの不良セクター（１５３）から少なくとも１つの代替セクター（１５６）にデジタル情報をコピーするプログラム・コードと、
前記取り外し可能な記憶媒体が前記非認識型の装置（８０）からアクセスできるように構成されている場合に、前記少なくとも１つの代替セクターから前記少なくとも１つの不良セクターに前記デジタル情報をコピーするプログラム・コードと、をさらに含む、上記（７）に記載のシステム。
（９）前記取り外し可能な記憶媒体（５０）が認識型の装置（６０）からアクセスできるように構成されている場合に、前記ファイル・システム・インジケータ（３５０）を前記少なくとも１つの標準位置（１５２）から前記少なくとも１つの非標準位置（１５５）にコピーするプログラム・コードをさらに含む、上記（７）に記載のシステム。
（１０）前記取り外し可能な記憶媒体（５０）が非認識型の装置（８０）からアクセスできるように構成されている場合に、前記少なくとも１つの非標準位置（１５５）をマスクするプログラム・コードをさらに含む、上記（７）に記載のシステム。
【図面の簡単な説明】
【図１】本発明の教示に従う、非識型の装置および非認識型の装置の間で交換可能なように構成されることのできる取り外し可能な記憶媒体の一実施形態を示す高レベル図。
【図２】取り外し可能な記憶媒体の一実施形態のレイアウトを示す図。
【図３】本発明の教示に従う、認識型の装置用に構成された取り外し可能な記憶媒体の一実施形態のレイアウトを示す図。
【図４】本発明の教示に従う、非認識型の装置用に構成された取り外し可能な記憶媒体の一実施形態のレイアウトを示す図。
【図５】本発明の教示に従う、取り外し可能な記憶媒体を認識型の装置と非認識型の装置の間で交換可能なように構成するための典型的なクロスリファレンス・テーブルを示す図。
【図６】本発明の教示に従う、認識型の装置および非認識型の装置の間で交換可能なように構成される取り外し可能な記憶媒体を初期化する一実施形態を示すフローチャート。
【図７】本発明の教示に従う、認識型の装置および非認識型の装置の間で交換可能なように取り外し可能な記憶媒体を構成する一実施形態を示すフローチャート。
【符号の説明】
１０  システム
５０  取り外し可能な記憶媒体
６０  認識型の装置
８０  非認識型の装置
３１０  予約済みセクター
３２０  欠陥管理用のセクター
３５０  ファイル・システム・インジケータ
３５５  バックアップ・ファイル・システム・インジケータ
【図１】
0004226876.tif 000005
【図２】
0004226876.tif 000006
【図３】
0004226876.tif 000007
【図４】
0004226876.tif 000008
【図５】
0004226876.tif 000009
【図６】
0004226876.tif 000010
【図７】
0004226876.tif 000011